(57)【要約】【課題】パーツ画像を設定する際の操作性を向上させる。【解決手段】携帯端末１００によれば、表示制御部３ｂは、パーツ画像の複数の特徴のそれぞれの強さ度合いを示す複数の座標軸を表示パネル３ａのパーツ画像設定画面３１に表示する。このパーツ画像設定画面３１に表示された座標軸により形成される座標上の任意の点がタッチパネル４ａにより指定されると、パーツ画像設定部６ａは、指定された点の座標位置に基づいてパーツ画像の複数の特徴のそれぞれの強さ度合いを特定し、特定した強さ度合いの各特徴を有するパーツ画像を顔画像に用いるパーツ画像として設定する。【選択図】図２
2014044693.tif 000002
【特許請求の範囲】
【請求項１】
パーツ画像を組み合わせて全体画像を作成する画像作成装置であって、
前記パーツ画像の複数の特徴のそれぞれの強さ度合いを示す複数の座標軸を表示手段の画面上に表示する表示制御手段と、
前記表示手段に表示された座標軸により形成される座標上の任意の点を指定するための操作入力手段と、
前記指定された点の座標位置に基づいて前記複数の特徴のそれぞれの強さ度合いを特定し、前記特定した強さ度合いの各特徴を有するパーツ画像を前記全体画像に用いるパーツ画像として設定するパーツ画像設定手段と、
を備える画像作成装置。
【請求項２】
前記複数の特徴の強さ度合いが対応付けられた複数種類のパーツ画像を記憶する記憶手段を更に備え、
前記パーツ画像設定手段は、前記記憶手段に記憶された、前記複数のパーツ画像の中から、前記指定された点の座標位置に基づいて特定した強さ度合いの各特徴を有するパーツ画像を前記全体画像に用いるパーツ画像として設定する請求項１に記載の画像作成装置。
【請求項３】
前記パーツ画像設定手段は、前記指定された点の座標位置から予め定められた範囲内にある複数の座標位置のそれぞれに基づいて前記複数の特徴のそれぞれの強さ度合いを特定し、特定した強さ度合いの各特徴を有するパーツ画像のそれぞれを前記記憶手段から読み出して前記表示制御手段により前記表示手段に表示させ、前記表示手段に表示された複数のパーツ画像のうち前記操作入力手段により指定されたパーツ画像を前記全体画像に用いるパーツ画像として設定する請求項２に記載の画像作成装置。
【請求項４】
前記パーツ画像設定手段は、前記指定された点の座標位置に基づいて特定した強さ度合いの各特徴を有する複数種類のパーツ画像を前記記憶手段から読み出して前記表示制御手段により前記表示手段に表示させ、前記表示手段に表示された複数種類のパーツ画像のうち前記操作入力手段により指定されたパーツ画像を前記全体画像に用いるパーツ画像として設定する請求項２に記載の画像作成装置。
【請求項５】
前記パーツ画像設定手段により設定されたパーツ画像を用いた前記全体画像のプレビュー画像を作成するプレビュー画像作成手段を備え、
前記表示制御手段は、前記プレビュー画像作成手段により作成されたプレビュー画像を前記表示手段の前記複数の座標軸と同一画面上に表示する請求項１〜４の何れか一項に記載の画像作成装置。
【請求項６】
パーツ画像を組み合わせて全体画像を作成する画像作成装置における画像作成方法であって、
前記パーツ画像の複数の特徴のそれぞれの強さ度合いを示す複数の座標軸を表示手段の画面上に表示する工程と、
前記表示手段に表示された座標軸により形成される座標上の任意の点が操作入力手段により指定されると、前記指定された点の座標位置に基づいて前記複数の特徴のそれぞれの強さ度合いを特定し、前記特定した強さ度合いの各特徴を有するパーツ画像を前記全体画像に用いるパーツ画像として設定する工程と、
を含む画像作成方法。
【請求項７】
パーツ画像を組み合わせて全体画像を作成する画像作成装置に用いられるコンピュータを、
前記パーツ画像の複数の特徴のそれぞれの強さ度合いを示す複数の座標軸を表示手段の画面上に表示する表示制御手段、
前記表示手段に表示された座標軸により形成される座標上の任意の点が操作入力手段により指定されると、前記指定された点の座標位置に基づいて前記複数の特徴のそれぞれの強さ度合いを特定し、前記特定した強さ度合いの各特徴を有するパーツ画像を前記全体画像に用いるパーツ画像として設定するパーツ画像設定手段、
として機能させるためのプログラム。
【発明の詳細な説明】
【技術分野】
【０００１】
本発明は、画像作成装置、画像作成方法及びプログラムに関する。
【背景技術】
【０００２】
従来、顔を構成する各パーツ（例えば、目、鼻、唇、眉毛、輪郭、髪型等）のパーツ画像を組み合わせて顔画像を作成する技術が知られている。一般的には、パーツ毎に、少しずつ形状の異なるパーツ画像を記憶しておき、「パーツ画像の候補」を一覧で表示し、その中からユーザ操作により設定（選択）された各パーツのパーツ画像を組み合わせて顔画像を作成している。
【０００３】
また、例えば、特許文献１には、顔画像の各パーツを表すパーツ画像をパーツ画像記憶手段に記憶しておくとともに、年齢に関するデータに対応付けられた顔特徴データを顔特徴データ記憶手段に記憶しておき、年齢を指定すると、指定された年齢に対応した顔特徴データを顔特徴データ記憶手段から読み出し、この顔特徴データに応じてパーツ画像記憶手段から対応するパーツ画像を読み出し、読み出されたパーツ画像を組み合わせて顔画像を作成する技術が記載されている。
【先行技術文献】
【特許文献】
【０００４】
【特許文献１】特許第３３４１０５０号公報
【発明の概要】
【発明が解決しようとする課題】
【０００５】
ところで、ユーザ操作により設定されたパーツ画像を組み合わせて顔画像を作成する技術の場合、ユーザの希望により近い顔画像を作成するには、目、鼻、唇、眉毛、輪郭、髪型等、それぞれのパーツにつき数十種以上の、より多くの形状のパーツ画像が用意されていることが好ましい。
【０００６】
しかしながら、パーツ画像の候補が多数あると候補を全て表示するのに何度もページ送りをする必要があり、希望に近いパーツ画像がどこにあるのか探すのに手間取ってしまう。また、探し出したパーツ画像を実際に顔に当てはめた結果、思ったものと違った場合、再度探し直す作業を行わなければならず非常に煩雑である。
【０００７】
本発明の課題は、パーツ画像を設定する際の操作性を向上させることである。
【課題を解決するための手段】
【０００８】
上記課題を解決するため、本発明に係る画像作成装置は、
パーツ画像を組み合わせて全体画像を作成する画像作成装置であって、
前記パーツ画像の複数の特徴のそれぞれの強さ度合いを示す複数の座標軸を表示手段の画面上に表示する表示制御手段と、
前記表示手段に表示された座標軸により形成される座標上の任意の点を指定するための操作入力手段と、
前記指定された点の座標位置に基づいて前記複数の特徴のそれぞれの強さ度合いを特定し、前記特定した強さ度合いの各特徴を有するパーツ画像を前記全体画像に用いるパーツ画像として設定するパーツ画像設定手段と、
を備える。
【０００９】
本発明に係る画像作成方法は、
パーツ画像を組み合わせて全体画像を作成する画像作成装置における画像作成方法であって、
前記パーツ画像の複数の特徴のそれぞれの強さ度合いを示す複数の座標軸を表示手段の画面上に表示する工程と、
前記表示手段に表示された座標軸により形成される座標上の任意の点が操作入力手段により指定されると、前記指定された点の座標位置に基づいて前記複数の特徴のそれぞれの強さ度合いを特定し、前記特定した強さ度合いの各特徴を有するパーツ画像を前記全体画像に用いるパーツ画像として設定する工程と、
を含む。
【００１０】
本発明に係るプログラムは、
パーツ画像を組み合わせて全体画像を作成する画像作成装置に用いられるコンピュータを、
前記パーツ画像の複数の特徴のそれぞれの強さ度合いを示す複数の座標軸を表示手段の画面上に表示する表示制御手段、
前記表示手段に表示された座標軸により形成される座標上の任意の点が操作入力手段により指定されると、前記指定された点の座標位置に基づいて前記複数の特徴のそれぞれの強さ度合いを特定し、前記特定した強さ度合いの各特徴を有するパーツ画像を前記全体画像に用いるパーツ画像として設定するパーツ画像設定手段、
として機能させる。
【発明の効果】
【００１１】
本発明によれば、パーツ画像を設定する際の操作性を向上させることができる。
【図面の簡単な説明】
【００１２】
【図１】携帯端末の機能的構成を示すブロック図である。
【図２】パーツ画像設定画面の一例を示す図である。
【図３】調整画面の一例を示す図である。
【図４】図１の端末装置により実行される顔画像作成処理を示すフローチャートである。
【図５】パーツ画像設定画面の変形例を示す図である。
【図６】調整画面の変形例を示す図である。
【発明を実施するための形態】
【００１３】
以下に、本発明について、図面を用いて具体的な態様を説明する。ただし、発明の範囲は、図示例に限定されない。
【００１４】
図１は、本実施形態の携帯端末１００の概略構成を示すブロック図である。
図１に示すように、携帯端末１００は、中央制御部１と、メモリ２と、表示部３と、操作入力部４と、画像記録部５と、画像処理部６と、送受話部７と、通信制御部８と、を備えている。
なお、携帯端末１００は、例えば、通信機能を具備する撮像装置や、携帯電話やＰＨＳ（Personal Handy-phone System）などの移動体通信網で用いられる移動局、ＰＤＡ（Personal Data Assistants）、スマートフォン等から構成されている。
【００１５】
中央制御部１は、携帯端末１００の各部を制御するものである。具体的には、中央制御部１は、図示は省略するが、ＣＰＵ（Central Processing Unit）、ＲＡＭ（Random Access Memory）、ＲＯＭ（Read Only Memory）を備え、携帯端末１００用の各種処理プログラム（図示略）に従って各種の制御動作を行う。
【００１６】
メモリ２は、例えば、ＤＲＡＭ（Dynamic Random Access Memory）等により構成され、中央制御部１や画像処理部６等の各部によって処理されるデータ等を一時的に記憶するものである。
【００１７】
表示部３は、表示パネル３ａと、表示制御部３ｂとを具備している。
表示パネル（表示手段）３ａは、表示画面上に画像や各種操作画面を表示する。表示パネル３ａとしては、例えば、液晶表示パネルや有機ＥＬ表示パネルなどが挙げられるが、一例であってこれらに限られるものではない。
表示制御部３ｂは、中央制御部１からの指示に基づいて、パーツ画像設定画面３１、調整画面３２をはじめとする各種操作画面や画像記録部５から読み出された画像を表示パネル３ａの表示画面上に表示させる制御を行う。
【００１８】
図２に、パーツ画像設定画面３１の一例を示す。パーツ画像設定画面３１は、目、鼻、唇、眉毛、輪郭、髪型等の、顔画像を構成する各パーツのパーツ画像を設定するための画面である。図２では、目を設定対象のパーツとした場合を例として示している。図２に示すように、パーツ画像設定画面３１は、座標領域３１ａ、プレビュー画像表示領域３１ｂ、調整ボタン３１ｃ、終了ボタン３１ｄを有している。座標領域３１ａは、顔画像の作成に用いるパーツ画像をユーザが指定するための領域である。プレビュー画像表示領域３１ｂは、座標領域３１ａを操作することにより指定された各パーツのパーツ画像を組み合わせた顔画像のプレビュー画像を表示するための領域である。調整ボタン３１ｃは、調整画面３２（図３参照）への移行を指示するためのボタンである。終了ボタン３１ｄは、パーツ画像の設定の終了を指示するためのボタンである。
【００１９】
具体的に、座標領域３１ａには、図２に示すように、複数（ここでは２つ）の座標軸が表示されている。各座標軸の目盛りは、それぞれパーツ画像の予め定められた特徴（座標軸毎に異なる）の強さ度合いを示している。横軸は右にいくほどその特徴の強さ度合いが大きいことを示し、縦軸は上にいくほどその特徴の強さ度合いが大きいことを示す。縦軸と横軸により形成される各座標には、その座標値により特定される強さ度合いの各特徴を有するパーツ画像が対応付けられている。例えば、図２に示す横軸が「開（縦方向に大きい）」という特徴の強さ度合いを示すものであり、縦軸が「幅広」という特徴の強さ度合いを示すものである場合、座標（５，４）には、目の開き度が５（最大）、かつ、幅広度が４のパーツ画像が対応付けられている。操作入力部４のタッチパネル４ａにより座標領域３１ａの座標上の任意の点の指定操作（接触）が検出されると、指定された点の座標値に対応する強さ度合いの各特徴を有するパーツ画像が顔画像の作成に用いられるパーツ画像として設定され、プレビュー画像表示領域３１ｂの該当するパーツの位置に表示される。
【００２０】
図３に調整画面３２の一例を示す。調整画面３２は、パーツ画像設定画面３１により設定された各パーツ画像の表示態様を調整するための画面である。図３に示すように、調整画面３２は、調整領域３２ａ、プレビュー画像表示領域３２ｂ、終了ボタン３２ｃを有している。調整領域３２ａには、調整項目毎のスライダーバーが表示されており、操作入力部４のタッチパネル４ａによりスライダーバーを操作することでパーツ画像の表示態様を調整することができる。図３においては、調整対象パーツが目である場合を表示しており、上がり目と下がり目（設定されたパーツ画像の回転角度）を調整するためのスライダーバーｂ１、目に付加するまぶたの位置を調整するためのスライダーバーｂ２、目の水平方向の位置（目の離れ度合い）を調整するためのスライダーバーｂ３、目の上下方向の位置を調整するためのスライダーバーｂ４が表示されている。タッチパネル４ａによりスライダーバーの操作が検出されると、検出された操作量に応じてパーツ画像が調整されたプレビュー画像がプレビュー画像表示領域３２ｂに表示される。
【００２１】
操作入力部４は、携帯端末１００本体に対して各種指示を入力するためのものである。
具体的には、操作入力部４は、モードや機能等の選択指示に係る上下左右のカーソルボタンや決定ボタン、電話の発着信や電子メールの送受信等の実行指示に係る通信関連ボタン、テキストの入力指示に係る数字ボタンや記号ボタン等の各種ボタン（何れも図示略）を備えている。
そして、ユーザにより各種ボタンが操作されると、操作入力部４は、操作されたボタンに応じた操作指示を中央制御部１に入力する。中央制御部１は、操作入力部４から入力された操作指示に従って所定の動作（例えば、被写体の撮像、電話の発着信、電子メールの送受信等）を各部に実行させる。
【００２２】
また、操作入力部４は、表示部３の表示パネル３ａと一体となって設けられたタッチパネル４ａを有している。
タッチパネル４ａは、表示パネル３ａの表示画面に直接的若しくは間接的に接触するユーザの指（手）やタッチペン等の接触位置を検出する。即ち、タッチパネル４ａは、例えば、表示画面上或いは当該表示画面よりも内側に設けられ、抵抗膜方式、超音波表面弾性波方式、静電容量方式等の各種方式により、表示画面上における接触位置のＸＹ座標を検出する。そして、タッチパネル４ａは、接触位置のＸＹ座標に係る位置信号を中央制御部１に入力する。
なお、タッチパネル４ａによる表示画面上における接触位置の検出精度は、適宜任意に変更可能であり、例えば、厳密に一の画素を接触位置としても良いし、一の画素を中心とする所定範囲内の複数の画素を接触位置としても良い。
【００２３】
画像記録部５は、例えば、不揮発性メモリ（フラッシュメモリ）等により構成されている。画像記録部５は、後述する顔画像作成処理で作成された顔画像等の画像データを記録する。
また、画像記録部５は、記憶手段として、パーツ画像テーブルＴを予め記憶している。パーツ画像テーブルＴは、顔を構成するパーツ（目、鼻、唇、眉毛、輪郭、髪型等）毎に、その形状を表すパーツ画像を複数記憶したテーブルであり、各パーツ画像を複数の特徴（上述の座標領域３１ａの各座標軸に対応する複数の特徴）の強さ度合いを表す数値に対応付けて記憶している。本実施形態において、パーツ画像テーブルＴは、パーツ毎に、座標領域３１ａの各座標に対応するパーツ画像を記憶している。
例えば、図２に示す座標領域３１ａにおいては、横軸に１１個、縦軸に１１個の目盛りが付されており、１２１個の座標が存在している。よって、パーツ画像テーブルＴには、パーツ毎に１２１個のパーツ画像が記憶されている。
【００２４】
画像処理部６は、パーツ画像設定部６ａ、プレビュー画像作成部６ｂ、調整部６ｃ、顔画像作成部６ｄを備えて構成されている。なお、画像処理部６の各部は、例えば、所定のロジック回路から構成されているが、当該構成は一例であってこれに限られるものではない。
【００２５】
パーツ画像設定部６ａは、パーツ画像設定画面３１（図２参照）において、操作入力部４のタッチパネル４ａにより座標領域３１ａの座標上の任意の点の指定操作が検出されると、指定された点の座標位置に基づいて複数の特徴のそれぞれの強さ度合いを特定し、各特徴が特定した強さ度合いのパーツ画像を顔画像の作成に用いるパーツ画像として設定する。具体的には、パーツ画像設定部６ａは、画像記録部５のパーツ画像テーブルＴに記憶された設定対象パーツの複数のパーツ画像の中から、指定された点の座標位置に基づいて特定した強さ度合いの各特徴を有するパーツ画像を読み出して顔画像の作成に用いるパーツ画像として設定し、プレビュー画像作成部６ｂ及び顔画像作成部６ｄに出力する。
【００２６】
プレビュー画像作成部６ｂは、パーツ画像設定部６ａにより設定されたパーツ画像を適切な位置に配置して組み合わせることによりプレビュー画像を作成し、表示制御部３ｂに出力する。
調整部６ｃは、調整画面３２における調整項目毎のスライダーバーの操作入力部４による操作量に応じてプレビュー画像上のパーツ画像を調整し、調整されたプレビュー画像を表示制御部３ｂに出力するとともに、調整情報を顔画像作成部６ｄに出力する。
顔画像作成部６ｄは、パーツ画像設定部６ａにより設定されたパーツ画像を適切な位置に配置して組み合わせることにより顔画像を作成し、画像記録部５に出力する。なお、プレビュー画像と顔画像は、解像度、画像サイズ等が異なる。
【００２７】
送受話部７は、通信ネットワークＮを介して接続された外部機器の外部ユーザとの通話を行う。
具体的には、送受話部７は、マイク７ａ、スピーカ７ｂ、データ変換部７ｃ等を備えている。そして、送受話部７は、マイク７ａから入力されるユーザの送話音声をデータ変換部７ｃによりＡ／Ｄ変換処理して送話音声データを中央制御部１に出力するとともに、中央制御部１の制御下にて、通信制御部８から出力されて入力される受話音声データ等の音声データをデータ変換部７ｃによりＤ／Ａ変換処理してスピーカ７ｂから出力する。
【００２８】
通信制御部８は、通信ネットワークＮ及び通信アンテナ８ａを介してデータの送受信を行う。
即ち、通信アンテナ８ａは、当該携帯端末１００が無線基地局（図示略）との通信で採用している所定の通信方式（例えば、Ｗ−ＣＤＭＡ(Wideband Code Division Multiple Access)方式、ＣＤＭＡ２０００方式、ＧＳＭ;登録商標（Global System for Mobile Communications）方式等）に対応したデータの送受信が可能なアンテナである。そして、通信制御部８は、所定の通信方式に対応する通信プロトコルに従って、この通信方式で設定される通信チャネルにより無線基地局との間で通信アンテナ８ａを介してデータの送受信を行う。
即ち、通信制御部８は、中央制御部１から出力されて入力される指示信号に基づいて、通信相手の外部機器に対して、当該外部機器の外部ユーザとの通話中の音声の送受信や、電子メールのデータの送受信を行う。
なお、通信制御部８の構成は一例であってこれに限られるものではなく、適宜任意に変更可能であり、例えば、図示は省略するが、無線ＬＡＮモジュールを搭載し、アクセスポイント（Access Point）を介して通信ネットワークＮにアクセス可能な構成としても良い。
【００２９】
通信ネットワークＮは、携帯端末１００を無線基地局やゲートウェイサーバ（図示略）等を介して接続する。また、通信ネットワークＮは、専用線や既存の一般公衆回線を利用して構築された通信ネットワークであり、ＬＡＮ（Local Area Network）やＷＡＮ（Wide Area Network）等の様々な回線形態を適用することが可能である。
また、通信ネットワークＮには、例えば、電話回線網、ＩＳＤＮ回線網、専用線、移動体通信網、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００３０】
次に、携帯端末１００の動作について説明する。
図４は、携帯端末１００により実行される顔画像作成処理に係る動作の一例を示すフローチャートである。
顔画像作成処理は、ユーザによる操作入力部４の所定操作に基づいて顔画像の作成が指示された場合に、中央制御部１の制御下において実行される。
【００３１】
まず、表示制御部３ｂは、表示パネル３ａに、上述のパーツ画像設定画面３１（図２参照）を表示させる（ステップＳ１）。なお、この段階では何れのパーツのパーツ画像も設定されていないが、本実施形態においては、設定対象のパーツ（目、鼻、口、輪郭、髪型等）の指定用に、プレビュー画像表示領域３１ｂに各パーツのデフォルトのパーツ画像が表示されているものとする。
【００３２】
タッチパネル４ａによりプレビュー画像表示領域３１ｂ上のパーツ画像の指定操作が検出されると（ステップＳ２；ＹＥＳ）、表示制御部３ｂは、指定されたパーツの予め定められた複数（ここでは２つ）の特徴の強さ度合いを示す複数（ここでは２つ）の座標軸を座標領域３１ａに表示する（ステップＳ３）。
【００３３】
タッチパネル４ａにより、座標領域３１ａの座標軸により形成される座標上の任意の点の指定操作が検出されると（ステップＳ４；ＹＥＳ）、パーツ画像設定部６ａは、指定された点の座標位置に基づいて、各特徴の強さ度合いを特定する（ステップＳ５）。次いで、パーツ画像設定部６ａは、画像記録部５のパーツ画像テーブルＴに記憶されている設定対象パーツのパーツ画像のうち、ステップＳ５において特定された各特徴の強さ度合いが対応付けられたパーツ画像を読み出して顔画像の作成に用いるパーツ画像として設定し、プレビュー画像作成部６ｂ及び顔画像作成部６ｄに出力する（ステップＳ６）。
【００３４】
なお、タッチパネル４ａの検出精度等によって複数の点が検出された場合には、パーツ画像設定部６ａは、検出された点毎に、各特徴の強さ度合いを特定し、各点に対応する複数のパーツ画像をパーツ画像テーブルＴの座標位置により読み出して表示制御部３ｂにより座標領域３１ａに一覧表示させ、表示された複数のパーツ画像のうちタッチパネル４ａによって指定が検出されたパーツ画像を顔画像の作成に用いるパーツ画像として設定し、プレビュー画像作成部６ｂ及び顔画像作成部６ｄに出力することとしてもよい。
また、パーツ画像設定部６ａは、タッチパネル４ａによって検出された点の座標位置から予め定められた範囲内にある複数の座標位置のそれぞれに基づいて前記複数の特徴のそれぞれの強さ度合いを特定し、特定した強さ度合いの各特徴を有するパーツ画像のそれぞれをパーツ画像テーブルＴから読み出して表示制御部３ｂにより座標領域３１ａに一覧表示させ、表示された複数のパーツ画像のうちタッチパネル４ａにより指定されたパーツ画像を顔画像の作成に用いるパーツ画像として設定し、プレビュー画像作成部６ｂ及び顔画像作成部６ｄに出力することとしてもよい。このようにすれば、ユーザが所望する特徴に近いパーツ画像を見比べながらパーツ画像を設定することが可能となる。
【００３５】
ステップＳ７において、プレビュー画像作成部６ｂは、プレビュー画像表示領域３１ｂに表示されるプレビュー画像の設定対象パーツの位置にパーツ画像設定部６ａにおいて設定されたパーツ画像を配置することによりプレビュー画像を作成し、表示制御部３ｂに出力する（ステップＳ７）。表示制御部３ｂは、プレビュー画像作成部６ｂにおいて作成されたプレビュー画像を表示パネル３ａのプレビュー画像表示領域３１ｂに表示する（ステップＳ８）。
【００３６】
タッチパネル４ａにより座標領域３１ａの座標上の新たな点の指定操作が検出されると（ステップＳ９；ＹＥＳ）、処理はステップＳ５に戻り、ステップＳ５〜Ｓ９の処理が実行される。即ち、指定された新たな点の座標位置に基づいて、各特徴の強さ度合いが特定され、特定された各特徴の強さ度合いが対応付けられたパーツ画像が顔画像の作成に用いるパーツ画像として設定され、設定されたパーツ画像を用いたプレビュー画像がプレビュー画像表示領域３１ｂに表示される。
ステップＳ５〜Ｓ９の処理により、ユーザによる座標上の指定操作に応じて、プレビュー画像中の設定対象パーツのパーツ画像をリアルタイムに変化させることができる。
【００３７】
タッチパネル４ａによりプレビュー画像表示領域３１ｂのパーツの指定操作が検出されると（ステップＳ９；ＮＯ、ステップＳ１０；ＹＥＳ）、処理はステップＳ３に戻る。これにより座標領域３１ａの座標軸が指定されたパーツのものに変更され、設定対象パーツを変更してパーツ画像の設定を行うことが可能となる。
【００３８】
タッチパネル４ａにより調整ボタン３１ｃの指定操作が検出されると（ステップＳ９；ＮＯ、ステップＳ１０；ＮＯ、ステップＳ１１；ＹＥＳ）、表示制御部３ｂは表示パネル３ａに調整画面３２（図３参照）を表示する（ステップＳ１３）。一方、タッチパネル４ａにより終了ボタン３１ｄの指定操作が検出されると（ステップＳ１１；ＮＯ、ステップＳ１２；ＹＥＳ）、処理はステップＳ２０に移行する。
【００３９】
タッチパネル４ａによりプレビュー画像表示領域３２ｂ上のパーツ画像の指定操作が検出されると（ステップＳ１４；ＹＥＳ）、表示制御部３ｂは、指定されたパーツのパーツ画像の調整用のスライダーバーを調整領域３２ａに表示する（ステップＳ１５）。
【００４０】
タッチパネル４ａにより調整領域３２ａのスライダーバーの操作（例えば、指定操作やスライド操作）が検出されると（ステップＳ１６；ＹＥＳ）、調整部６ｃは、スライダーバーの操作に応じて、プレビュー画像上の調整対象のパーツのパーツ画像を調整し、調整結果を示す調整情報を顔画像作成部６ｄに出力する（ステップＳ１７）。
【００４１】
タッチパネル４ａによりプレビュー画像表示領域３２ｂのパーツの指定操作が検出されると（ステップＳ１８；ＹＥＳ）、処理はステップＳ１５に戻る。これにより調整領域３２ａのスライダーバーが指定されたパーツのものに変更され、調整対象パーツを変更してパーツ画像の調整を行うことが可能となる。
【００４２】
タッチパネル４ａにより終了ボタン３２ｃの操作が検出されると（ステップＳ１８；ＮＯ、ステップＳ１９；ＹＥＳ）、ステップＳ２０に移行する。
【００４３】
ステップＳ２０において、顔画像作成部６ｄは、パーツ画像設定部６ａから出力されたパーツ画像、調整部６ｃから出力された調整情報（調整があった場合）に基づいて、設定されたパーツ画像を配置して組み合わせることにより顔画像を作成し、画像記録部５に出力する。
【００４４】
画像記録部５は、顔画像作成部６ｄから出力された顔画像の画像データを記憶する（ステップＳ２１）。
【００４５】
以上説明したように、携帯端末１００によれば、パーツ画像の複数の特徴のそれぞれの強さ度合いを示す複数の座標軸を表示パネル３ａのパーツ画像設定画面３１に表示する。このパーツ画像設定画面３１に表示された座標軸により形成される座標上の任意の点の指定操作がタッチパネル４ａにより検出されると、パーツ画像設定部６ａは、指定された点の座標位置に基づいてパーツ画像の複数の特徴のそれぞれの強さ度合いを特定し、特定した強さ度合いの各特徴を有するパーツ画像を顔画像に用いるパーツ画像として設定する。
従って、座標上を指定するという簡単な操作で、パーツ画像の複数の特徴についての強さ度合いを一度に指定することができ、多数のパーツ画像候補の中から所望する特徴を有するパーツ画像を容易に絞り込んで顔画像に用いるパーツ画像として設定することができるので、従来のように、所望する特徴を有するパーツ画像を何度もページ送りをしながら探して選択するといった煩雑な操作をする必要がなくなり、パーツ画像を設定する際の操作性が向上する。
【００４６】
また、設定されたパーツ画像はリアルタイムにプレビュー画像に表示されるので、パーツ画像をドラッグ操作等してパーツ画像を組み合わせる操作が不要となり、利便性が向上する。
【００４７】
また、顔画像のプレビュー画像に配置されたパーツ画像の配置や回転等の微調整は、プレビュー画像とは別領域に表示されたスライダーバーの操作により行うことができるので、顔画像上のドラッグ操作等によりユーザの手指がプレビュー画像に重なって視界が遮られてしまうといったことがなく、仕上がりをチェックしながら効率的に微調整を行うことが可能となる。
【００４８】
以下、上記実施形態の変形例について説明する。
［変形例１］  
上記実施形態においては、パーツ画像テーブルＴに複数の特徴の強さ度合いが対応付けられたパーツ画像を一種類記憶しておくこととしたが、複数の特徴の強さ度合いが対応付けられた複数種類（複数デザイン）のパーツ画像を記憶しておくこととしてもよい。そして、パーツ画像設定部６ａは、図４のステップＳ６において、タッチパネル４ａにより指定が検出された点の座標位置に基づいて特定した強さ度合いの各特徴を有する複数種類のパーツ画像を候補としてパーツ画像テーブルＴから読み出して表示制御部３ｂにより表示パネル３ａに表示させ、表示パネル３ａに表示された複数種類のパーツ画像の候補のうちタッチパネル４ａにより指定が検出されたパーツ画像を顔画像に用いるパーツ画像として設定することとしてもよい。
【００４９】
図５に、変形例１において、図４のステップＳ１で表示されるパーツ画像設定画面３１１の座標上の任意の点をユーザがタッチパネル４ａにより指定した場合に表示される複数種類のパーツ画像の表示例を示す。図５において、３１１ａは座標領域を、３１１ｂは、プレビュー画像表示領域を示す。３１１ｃは調整ボタン、３１１ｄは終了ボタンを示す。なお、ここでは、パーツ画像テーブルＴには、少女漫画風の目（図５のＥ１１、Ｅ２１、Ｅ３１等）、標準の目（図５のＥ１２、Ｅ２２、Ｅ３２等）、化粧をした目（図５のＥ１３、Ｅ２３、Ｅ３３等）の３種類のパーツ画像が記憶されていることとする。
【００５０】
例えば、点Ｐ１が指定された場合、図５に示すように、上記３種類のそれぞれのパーツ画像群から、最も幅が広く、縦方向に大きく開いている目のパーツ画像（Ｅ１１〜Ｅ１３）が読み出され、表示される。
例えば、点Ｐ２が指定された場合、図５に示すように、上記３種類のそれぞれのパーツ画像群から、最も幅が小さく、縦方向に大きく開いている目のパーツ画像（Ｅ２１〜Ｅ２３）が読み出され、表示される。
例えば、点Ｐ３が指定された場合、図５に示すように、上記３種類のそれぞれのパーツ画像群から、幅の広さが中間で、細い目のパーツ画像（Ｅ３１〜Ｅ３３）が読み出され、表示される。
【００５１】
このように、変形例１によれば、座標上の点を指定すると、指定した点の座標位置に応じた強さ度合いの各特徴を有する複数種類のパーツ画像が候補として表示されるので、ユーザがより多くのデザインのパーツ画像の中から簡単な操作で容易に所望のパーツ画像を設定することが可能となる。
【００５２】
なお、複数種類のパーツ画像を候補として表示するのではなく、パーツ画像の種類を選択するためのアイコン等をパーツ画像設定画面３１１に表示しておき、指定された座標位置に対応するパーツ画像であって、予め選択されたアイコンに応じた種類のパーツ画像を顔画像に用いるパーツ画像として設定し、プレビュー画像に表示することとしてもよい。
【００５３】
［変形例２］
また、上記実施形態においては、調整画面３２に図３に示す調整項目毎のスライダーバーを表示し、スライダーバーの操作に応じて調整を行うこととして説明したが、調整のための手段としては、スライダーバーの変わりに２軸を使用することとしてもよい。図６に、２軸を利用した調整画面３２１の一例を示す。図６において、３２１ａは調整領域を、３２１ｂは、プレビュー画像表示領域を、３２１ｃは終了ボタン示す。図６に示すように、調整領域３２１ａに表示された２つの軸は、原点で左右、上下がそれぞれ２つに区切られて４つの軸部分に分割され、４つの調整項目が割り当てられている。調整部６ｃは、タッチパネル４ａにより何れかの軸部分上の任意の点の指定操作が検出されると、指定された位置に応じた項目について、指定された位置に応じた量の調整を行う。または、調整部６ｃは、２つの軸部分により形成される座標上の任意の点の指定操作がタッチパネル４ａにより検出されると、指定された点の座標位置に基づいて、２つの軸部分に割り当てられた２つの調整項目のそれぞれの調整量を特定し、特定した量の調整を行うこととしてもよい。例えば、図６に示す右下のＰ点が指定された場合は、調整部６ｃは、設定されているパーツ画像を、最も垂れ目で、最も目の間が離れた態様に調整する。
このようにすれば、複数の調整項目の調整量を一度に指定することが可能となるので、操作性が更に向上する。
なお、調整項目を選択するためのアイコン等を調整画面３２や３２１に表示しておき、アイコンを軸上にドラッグすると、ドラッグされた位置の軸部分に対応する調整項目がアイコンに対応する調整項目に変更されることとしてもよい。
【００５４】
以上、本実施形態及びその変形例について説明したが、上記実施形態及びその変形例における記述内容は、本発明に係る携帯端末の好適な一例であり、これに限定されるものではない。
【００５５】
例えば、上記実施形態においては、パーツ画像を組み合わせることにより作成される全体画像を顔画像として説明したが、これに限定されるものではない。
また、例えば、上記実施形態においては、パーツ画像設定画面３１（３１１）の各座標に対応するパーツ画像をパーツ画像テーブルＴに記憶していることとしたが、基準となるパーツ画像をいくつか（例えば、各軸の最も強度の高いパーツ画像や最も強度の低いパーツ画像等）記憶しておき、パーツ画像設定部６ａは、ユーザにより指定された座標位置により特定される強さ度合の各特徴を有するパーツ画像をそれらの基準となるパーツ画像を変形することにより作成して設定することとしてもよい。変形処理としては、例えば、アフィン変換、射影変換等の公知の技術を用いることができる。
【００５６】
また、パーツ画像設定部６ａにおけるパーツ画像の設定の態様としては、上記実施形態や変形例に限定されない。例えば、指定された点の座標位置が何れの象限（第１象限〜第４象限）に含まれているかを判断し、指定された点を含む象限に含まれる各座標に基づいて、それぞれ複数の特徴の強さ度合いを特定し、特定された強さ度合いの各特徴を有するパーツ画像のそれぞれをパーツ画像テーブルＴから読み出してパーツ画像候補として座標領域３１ａに一覧表示し、表示された候補の中からタッチパネル４ａにより指定されたパーツ画像を顔画像に用いるパーツ画像として設定することとしてもよい。
この態様では、ユーザにより指定された点の座標位置によって一覧表示する候補を限定することができるので、従来のように全てのパーツ画像の一覧をページ送りで表示する場合に比べ操作性が向上する。
【００５７】
また、上記実施形態においては、表示制御手段、パーツ画像設定手段、プレビュー画像作成手段としての機能は、中央制御部１の制御下において、それぞれ表示制御部３ｂ、パーツ画像設定部６ａ、プレビュー画像作成部６ｂが駆動することにより実現される構成としたが、これに限らず、例えば、中央制御部１のＣＰＵによって所定のプログラムが実行されることにより実現される構成としてもよい。
例えば、中央制御部１のＣＰＵが表示制御部３ｂ、パーツ画像設定部６ａ、プレビュー画像作成部６ｂの各部の機能と同様の機能を実現する処理を実行するためのプログラムをプログラムメモリ（図示略）に記憶しておく構成としてもよい。そして、中央制御部１のＣＰＵとこのプログラムとの協働により、表示制御手段、パーツ画像設定手段、及びプレビュー画像作成手段としての機能を実現する構成としてもよい。
【００５８】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００５９】
また、携帯端末１００の構成は、上記実施形態に例示したものは一例であり、これらに限られるものではない。さらに、画像作成装置として、携帯端末１００を例示したが、これらに限られるものではない。
【００６０】
その他、通信システムを構成する各装置の細部構成及び細部動作に関しても、発明の趣旨を逸脱することのない範囲で適宜変更可能である。
【００６１】
(付記) 
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
＜請求項１＞
パーツ画像を組み合わせて全体画像を作成する画像作成装置であって、
前記パーツ画像の複数の特徴のそれぞれの強さ度合いを示す複数の座標軸を表示手段の画面上に表示する表示制御手段と、
前記表示手段に表示された座標軸により形成される座標上の任意の点を指定するための操作入力手段と、
前記指定された点の座標位置に基づいて前記複数の特徴のそれぞれの強さ度合いを特定し、前記特定した強さ度合いの各特徴を有するパーツ画像を前記全体画像に用いるパーツ画像として設定するパーツ画像設定手段と、
を備える画像作成装置。
＜請求項２＞
前記複数の特徴の強さ度合いが対応付けられた複数種類のパーツ画像を記憶する記憶手段を更に備え、
前記パーツ画像設定手段は、前記記憶手段に記憶された、前記複数のパーツ画像の中から、前記指定された点の座標位置に基づいて特定した強さ度合いの各特徴を有するパーツ画像を前記全体画像に用いるパーツ画像として設定する請求項１に記載の画像作成装置。
＜請求項３＞
前記パーツ画像設定手段は、前記指定された点の座標位置から予め定められた範囲内にある複数の座標位置のそれぞれに基づいて前記複数の特徴のそれぞれの強さ度合いを特定し、特定した強さ度合いの各特徴を有するパーツ画像のそれぞれを前記記憶手段から読み出して前記表示制御手段により前記表示手段に表示させ、前記表示手段に表示された複数のパーツ画像のうち前記操作入力手段により指定されたパーツ画像を前記全体画像に用いるパーツ画像として設定する請求項２に記載の画像作成装置。
＜請求項４＞
前記パーツ画像設定手段は、前記指定された点の座標位置に基づいて特定した強さ度合いの各特徴を有する複数種類のパーツ画像を前記記憶手段から読み出して前記表示制御手段により前記表示手段に表示させ、前記表示手段に表示された複数種類のパーツ画像のうち前記操作入力手段により指定されたパーツ画像を前記全体画像に用いるパーツ画像として設定する請求項２に記載の画像作成装置。
＜請求項５＞
前記パーツ画像設定手段により設定されたパーツ画像を用いた前記全体画像のプレビュー画像を作成するプレビュー画像作成手段を備え、
前記表示制御手段は、前記プレビュー画像作成手段により作成されたプレビュー画像を前記表示手段の前記複数の座標軸と同一画面上に表示する請求項１〜４の何れか一項に記載の画像作成装置。
＜請求項６＞
パーツ画像を組み合わせて全体画像を作成する画像作成装置における画像作成方法であって、
前記パーツ画像の複数の特徴のそれぞれの強さ度合いを示す複数の座標軸を表示手段の画面上に表示する工程と、
前記表示手段に表示された座標軸により形成される座標上の任意の点が操作入力手段により指定されると、前記指定された点の座標位置に基づいて前記複数の特徴のそれぞれの強さ度合いを特定し、前記特定した強さ度合いの各特徴を有するパーツ画像を前記全体画像に用いるパーツ画像として設定する工程と、
を含む画像作成方法。
＜請求項７＞
パーツ画像を組み合わせて全体画像を作成する画像作成装置に用いられるコンピュータを、
前記パーツ画像の複数の特徴のそれぞれの強さ度合いを示す複数の座標軸を表示手段の画面上に表示する表示制御手段、
前記表示手段に表示された座標軸により形成される座標上の任意の点が操作入力手段により指定されると、前記指定された点の座標位置に基づいて前記複数の特徴のそれぞれの強さ度合いを特定し、前記特定した強さ度合いの各特徴を有するパーツ画像を前記全体画像に用いるパーツ画像として設定するパーツ画像設定手段、
として機能させるためのプログラム。
【符号の説明】
【００６２】
１００  携帯端末
１  中央制御部
２  メモリ
３  表示部
３ａ  表示パネル
３ｂ  表示制御部
３１  パーツ画像設定画面
３１ａ  座標領域
３１ｂ  プレビュー画像表示領域
３２  調整画面
３２ａ  調整領域
３２ｂ  プレビュー画像表示領域
４  操作入力部
４ａ  タッチパネル
５  画像記録部
Ｔ  パーツ画像テーブル
６  画像処理部
６ａ  パーツ画像設定部
６ｂ  プレビュー画像作成部
６ｃ  調整部
６ｄ  顔画像作成部
７  送受話部
７ａ  マイク
７ｂ  スピーカ
７ｃ  データ変換部
８  通信制御部
８ａ  通信アンテナ
【図１】
2014044693.tif 000003
【図２】
2014044693.tif 000004
【図３】
2014044693.tif 000005
【図４】
2014044693.tif 000006
【図５】
2014044693.tif 000007
【図６】
2014044693.tif 000008